(57)【特許請求の範囲】
【請求項１】
ウエビング巻取装置に取り付けられるカバーの取付構造であって、
係合孔部が設けられたカバー取付台と、
前記係合孔部に挿入される弾性を有する係合部が形成されたカバーと、
前記係合部あるいは係合孔部のいずれか一方に設けられた係合用の爪と、
前記係合部あるいは係合孔部のいずれか他方に設けられた前記爪が係止される係止部と、
を備え、前記係合孔部に前記係合部を弾性変形させて挿入することによって前記爪が前記係止部に係止されて前記係合部が前記係合孔部から抜け出す方向に常時付勢され、前記カバーが前記カバー取付台に取り付けられることを特徴とするウエビング巻取装置のカバー取付構造。
【発明の詳細な説明】
【０００１】
【発明の属する技術分野】
本発明は、ウエビング巻取装置の側面に取り付けられたゼンマイばね、あるいはセンサ類を覆うカバー部材の取付構造に関する。
【０００２】
【従来の技術】
ウエビング巻取装置には、スプールに巻きつけられたウエビングを巻き取るために、ゼンマイばねが側面に取り付けられている。ゼンマイばねは、カバーとカバー取付台によって保持され、一端がスプールに回転力を伝達する回転軸に係止され、他端がカバーに係止されている。したがって、ウエビングを引き出すことによって回転軸が回転し、ゼンマイばねが所定の弾性力を蓄積し、ウエビングに巻き戻し力を付勢する。
【０００３】
このゼンマイばねの一端が係止されるカバーは、カバー取付部の所定位置に組み付けられ、樹脂リベット（ギボシ）等が打ち込まれることによって取付固定されている。したがって、車両の衝突による衝撃がウエビング巻取装置に作用した際、カバーがカバー取付台から外れ（ゼンマイばねの弾性力が開放され）ウエビングが緩むことはない。
【０００４】
【発明が解決しようとする課題】
しかしながら、従来のカバー取付方法は、カバー取付台の所定位置にカバーを組み付ける工程と、樹脂リベットを打ち込む工程からなるため、作業工程が多く煩雑であった。
【０００５】
また、ウエビング巻取装置の使用に伴って樹脂リベットが緩まった場合、カバーがガタついた状態のままになり、ウエビング巻取装置の使用の度に異音が発生するという不都合もあった。
【０００６】
本発明は、上記事実を考慮し、組み付けが簡単であり、異音が発生しないウエビング巻取装置のカバー取付構造を提供することを課題とする。
【０００７】
【課題を解決するための手段】
請求項１に記載の発明では、ウエビング巻取装置に取り付けられるカバーの取付構造であって、係合孔部が設けられたカバー取付台と、前記係合孔部に挿入される弾性を有する係合部が形成されたカバーと、前記係合部あるいは係合孔部のいずれか一方に設けられた係合用の爪と、前記係合部あるいは係合孔部のいずれか他方に設けられた前記爪が係止される係止部と、を備え、前記係合孔部に前記係合部を弾性変形させて挿入することによって前記爪が前記係止部に係止されて前記係合部が前記係合孔部から抜け出す方向に常時付勢され、前記カバーが前記カバー取付台に取り付けられることを特徴とする。
【０００８】
請求項１記載のウエビング巻取装置のカバー取付構造の作用について説明する。
【０００９】
カバーに設けられた係合部を弾性変形させてカバー取付台に設けられた係合孔部に挿入するだけで、係合部あるいは係合孔部のいずれか一方に設けられた爪が他方に設けられた係止部と係合し、カバー取付台にカバーを簡単に位置決め固定することができる。
【００１０】
この際、弾性変形されている係合部は係合孔部から抜け出す方向に常時付勢されているため、爪と係止部の係合状態が緩むことはない。すなわち、カバーがカバー取付台に対してガタつくことはない。
【００１１】
【発明の実施の形態】
先ず、本発明の第１実施形態に係るウエビング巻取装置のカバー取付構造について詳細に説明する。
【００１２】
図１に示すように、ウエビング巻取装置１０は、車両に取り付けられるフレーム１２と、フレーム１２に回転可能に軸支されたウエビングが巻きつけられたスプール（図示せず）と、スプールに巻取力を付与するゼンマイばね１４と、スプールとゼンマイばね１４間の回転力の伝達を行う回転軸体１６と、回転軸体１６等を回転自在に軸支するカバー取付台１８と、ゼンマイばね１４を保持するカバー２０とから基本的に構成される。
【００１３】
フレーム１２には、スプールと一体的に回転されるスリーブ２２が挿通されており、スリーブ２２に先端にはカバー取付台１８に軸支される回転軸体１６が固定されている。
【００１４】
回転軸体１６にはゼンマイばね１４の一端が係止され、他端がカバー２０に係止されている。したがって、ウエビングの引き出しによってスプールが回転すると、回転軸体１６が回転し、ゼンマイばね１４が巻き締められて弾性エネルギー（巻き戻し力）が蓄積される構成である。
【００１５】
カバー取付台１８は、図２に示すように、フレーム１２に固着された略円盤状の形状であり、その外周側の所定位置に孔部２４が形成されている。孔部２４を形成する弾性を有する折り曲げ部材２６の先端には、爪部２８が形成されている（図１参照）。
【００１６】
図２に示すように、カバー２０は円盤状であり、外周部の所定位置に弾性を有する係合爪３０が形成されている。係合爪３０は、図１に示すように、カバー２０の外周部から図面上、一端上部へ湾曲して下方に反転する形状の変形部３４と、変形部３４に連続して下方に延在する係合部３６からなる。係合部３６には、長手方向に延在する矩形状の孔部３２が形成されている。
【００１７】
このように構成されるウエビング巻取装置１０のカバー取付構造の作用について説明する。
【００１８】
組み立て時にカバー２０をカバー取付台１８に固定するため、カバー２０をカバー取付台１８の所定位置に合わせ、カバー２０の係合爪３０をカバー取付台１８の孔部２４に挿入する（図３参照）。この結果、係合爪３０の先端部３８が折り曲げ部材２６の爪部２８を押しのけながら（撓ませながら）進入する。カバー２０の側面２０Ａがカバー取付台１８の取付面１８Ａに当接した際、爪部２８に対向する位置に孔部３２が位置するため、折り曲げ部材２６の爪部２８が孔部３２に進入する（図４参照）。この際、孔部２４に挿入することによって撓んだ係合爪３０が元姿勢に戻ろうとする（図４、実線→二点鎖線参照）ことによって係合爪３０の先端部３８と爪部２８が係合し、カバー２０をカバー取付台１８に固定する（図１参照）。
【００１９】
このように、カバー２０の係合爪３０をカバー取付台１８の孔部２４に挿入するだけで爪部２８が孔部３２（先端部３８）に係合し、カバー２０がカバー取付台１８の所定位置に固定される。したがって、カバー２０の取付工程が簡略化される。
【００２０】
また、係合爪３０は変形部３４の撓み（弾性）変形に基づく復元力によって常時上向きに付勢されているため、孔部３２に進入した爪部２８と先端部３８が離間することない。すなわち、カバー２０がガタつくことを確実に防止できる。
【００２１】
次に、本発明の第２実施形態に係るカバー取付構造について図５〜図７を参照して説明する。第１実施形態と同様の構成要素には、同一の参照符号を付し、その詳細な説明を省略する。
【００２２】
第１実施形態と異なるのは、図５、図６に示すように、カバー２０の係合爪３０の先端に外側に折り返された弾性を有する爪部４０が形成されており、カバー取付台１８の周回する壁面の段差部４２に係合することによってカバー２０がカバー取付台１８に固定される点である。なお、爪部４０は孔部２４の幅よりも突出している。
【００２３】
したがって、係合爪３０を孔部２４に挿入することによって、爪部４０が孔部３２に押し込まれた状態となる（図７参照）。爪部４０が段差部４２よりも奥に進入することによって、爪部４０が開放され段差部４２と係合する（図６参照）。この結果、係合爪３０が孔部２４から引き抜き不可能となり、カバー２０がカバー取付台１８に固定される。
【００２４】
したがって、第１実施形態と同様に簡単にカバー２０を取付可能であると共に、カバー２０の係合爪３０が変形部３４の復元力によって常時上向きに付勢されているため、爪部４０が段差部４２に係止され、ガタつくことが確実に防止される。
【００２５】
なお、本発明のカバー取付構造は、スプールの反対側の側面に取り付けられるカバーの取付に適用することもできる。
【００２６】
【発明の効果】
本発明では、カバーをカバー取付台の所定位置に簡単に取付固定できると共に、ガタつく（異音が発生する）ことを確実に防止できる。
【図面の簡単な説明】
【図１】本発明の第１実施形態に係るウエビング巻取装置のカバー取付構造を示す要部断面図である。
【図２】本発明の第１実施形態に係るウエビング巻取装置のカバー取付構造を示す斜視図である。
【図３】本発明の第１実施形態に係るウエビング巻取装置のカバー取付状態図である。
【図４】本発明の第１実施形態に係るウエビング巻取装置のカバー取付状態図である。
【図５】本発明の第２実施形態に係るウエビング巻取装置のカバー取付構造を示す斜視図である。
【図６】本発明の第２実施形態に係るウエビング巻取装置のカバー取付構造を示す要部断面図である。
【図７】本発明の第２実施形態に係るウエビング巻取装置のカバー取付状態図である。
【符号の説明】
１０    ウエビング巻取装置
１８    カバー取付台
２０    カバー
２４    孔部（係合孔部）
２８    爪部（爪）
３０    係合爪（係合部）
３２    孔部（係止部）
【図１】
0004142198.tif 000002
【図２】
0004142198.tif 000003
【図３】
0004142198.tif 000004
【図４】
0004142198.tif 000005
【図５】
0004142198.tif 000006
【図６】
0004142198.tif 000007
【図７】
0004142198.tif 000008